(57)【要約】【課題】ウェブサイトへのアクセスが可能か否かを判定する装置及びその方法を提供する。【解決手段】ネットワークに接続可能な装置が提供される。当該装置は、アクセスに成功したウェブサイトに関する第１の設定情報と、前記ウェブサイトの識別子と関連付けて保存する保存部、及び前記ネットワークに接続中で前記ウェブサイトへアクセスする前に前記装置に設定された第２の設定情報と、前記第１の設定情報とを比較し、前記ウェブサイトへのアクセスが可能か否かを判定する判定部、を有する。【選択図】図７
2010198326.tif 000002
【特許請求の範囲】
【請求項１】
ネットワークに接続可能な装置であって、
アクセスに成功したウェブサイトに関する第１の設定情報と、前記ウェブサイトの識別子と関連付けて保存する保存部、及び
前記ネットワークに接続中で前記ウェブサイトへアクセスする前に前記装置に設定された第２の設定情報と、前記第１の設定情報とを比較し、前記ウェブサイトへのアクセスが可能か否かを判定する判定部、を有する装置。
【請求項２】
前記装置は、前記判定の結果を前記ウェブサイトの識別子と共に表示する表示部、を更に有する請求項１記載の装置。
【請求項３】
前記表示部は、前記第１及び第２の設定情報が異なる場合に、前記第１の設定情報のうち前記第２の設定情報と異なる項目を表示する、請求項２記載の装置。
【請求項４】
ネットワークに接続可能な装置で用いられる方法であって、
アクセスに成功したウェブサイトに関する第１の設定情報と、前記ウェブサイトの識別子と関連付けて保存する段階、及び
前記ネットワークに接続中で前記ウェブサイトへアクセスする前に前記装置に設定された第２の設定情報と、前記第１の設定情報とを比較し、前記ウェブサイトへのアクセスが可能か否かを判定する段階、を有する方法。
【発明の詳細な説明】
【技術分野】
【０００１】
本発明は、ウェブサイトへのアクセスの可否を判定する、ネットワークに接続可能な装置及びその方法に関する。
【背景技術】
【０００２】
一般的に、インターネットに接続されたウェブサイトにアクセスする場合には、ユーザーは、ユーザー装置内に保存されているブックマーク、リストボックス等で表示されるアドレスを使用する。以下のようなブックマークを管理する種々の技術が知られている。
【０００３】
ブックマークのＵＲＬ（Uniform  Resource  Locator）及び当該ＵＲＬのアクセス情報（参照回数、最終参照日時など）を記憶するブックマーク管理機能が知られている（特許文献１）。
【０００４】
ブックマークが付された各ｗｅｂウェブサイトに対し例えばピング（ping）を実行することによりアクセスを図り、レスポンス及び混雑状況の情報を取得する装置が知られている（特許文献２）。
【０００５】
ブックマークに登録されたホームページにバックグラウンド処理により順次アクセスして取得した当該ホームページの最終更新時間と、最終閲覧時間とを比較することにより、各ホームページの更新状況を把握する方法が知られている（特許文献３）。
【先行技術文献】
【特許文献】
【０００６】
【特許文献１】特開２００５−３３９３５６号公報
【特許文献２】特開２００３−５０８２４号公報
【特許文献３】特開平１１−２９６４２８号公報
【発明の概要】
【発明が解決しようとする課題】
【０００７】
上述の技術を用いた場合には、アクセスできないという事実は実際にウェブサイトにアクセスしてから判明するので、確認のための時間がかかるという問題が生じる。
【０００８】
また、上述の技術ではユーザーがアクセス・ネットワークを変更することを想定していない。ユーザー装置が異なるネットワークを介してウェブサイトに接続した場合に、当該ウェブサイトにアクセスできない場合がある。このような場合にも、上述のような問題が生じる。
【０００９】
更に、ユーザー装置がネットワークへの接続に成功した場合であっても、ユーザー装置は、設定されているセキュリティ設定によっては当該ウェブサイトへのアクセスができない場合がある。この場合にも、上述のような問題が生じる。
【課題を解決するための手段】
【００１０】
一実施形態によると、ネットワークに接続可能な装置が提供される。当該装置は、アクセスに成功したウェブサイトに関する第１の設定情報と、前記ウェブサイトの識別子と関連付けて保存する保存部、及び前記ネットワークに接続中で前記ウェブサイトへアクセスする前に前記装置に設定された第２の設定情報と、前記第１の設定情報とを比較し、前記ウェブサイトへのアクセスが可能か否かを判定する判定部、を有する。
【発明の効果】
【００１１】
開示された装置及び方法によると、ウェブサイトへのアクセスが可能か否かを確認するために要する時間を節約することができる。
【図面の簡単な説明】
【００１２】
【図１】携帯型装置の構成の概略図である。
【図２】ネットワークの構成の概略図である。
【図３】一実施形態に係る装置の説明図である。
【図４】一実施形態に係るデータ保存部に保存されるデータ項目の例である。
【図５】一実施形態に係るブックマーク、リストボックス等に登録されたＵＲＬへのアクセス可否を判定する例である。
【図６】一実施形態に係るウェブサイトへのアクセスが成功したときに情報を収集する処理のフロー図である。
【図７】一実施形態に係るブックマーク、リストボックス等を表示する処理のフロー図である。
【図８】一実施形態に係るブックマーク、リストボックス等に登録されたＵＲＬへアクセスする処理のフロー図である。
【図９】一実施形態に係るブックマークへのアクセス可否の表示例である。
【図１０】一実施形態に係るブックマークへのアクセス可否の別の表示例である。
【図１１】一実施形態に係るリストボックス等に登録されたＵＲＬへのアクセス可否の表示例である。
【発明を実施するための形態】
【００１３】
以下に添付の図面を参照して実施形態を説明する。
【００１４】
図１は、携帯型装置１００の構成の概略図である。装置１００は、例えば携帯電話端末、ノート型パーソナル・コンピューター（ＰＣ）、パーソナル・デジタル・アシスタント（ＰＤＡ）等を含む。
【００１５】
装置１００は、アンテナ１０１、ＲＦ  ＩＣ（周波数変換用ＩＣ）１０２、通信用ＣＰＵ（Ｃ−ＣＰＵ）１０３、Ｃ−ＣＰＵ用電源部１０４、アプリケーション用ＣＰＵ（Ａ−ＣＰＵ）１０５、Ａ−ＣＰＵ用電源部１０６を有する。装置１００は、更に液晶ディスプレイ（ＬＣＤ）のような表示装置１０７、カメラ１０８、無線ローカル・エリア・ネットワーク（ＷＬＡＮ）／Ｂｌｕｅｔｏｏｔｈ等のための通信部１０９、赤外線（ＩＲ）通信部１１０、発光ダイオード（ＬＥＤ）１１２、オーディオ入出力部１１３、キーパッドのような入力装置１１４、バイブレーター１１５を有してよい。
【００１６】
装置１００は、メモリー１１１を更に有してよい。メモリー１１１は、通信用ＣＰＵ１０３若しくはＡ−ＣＰＵ１０５に内蔵されたメモリー、装置１００に内蔵されたその他のメモリー、又は取り外し可能なメモリーであってもよい。
【００１７】
装置１００は、これらの構成要素の全てを備える必要はなく、又は追加の構成要素を備えてもよい。
【００１８】
図２は、ネットワークの構成の概略図である。図２は、図１に示したような装置１００、インターネット２０１、無線ローカル・エリア・ネットワーク（ＷＬＡＮ）２０２ａ、２０２ｂ、プロキシ２０３、及びウェブサイト２０４ａ、２０４ｂを有する。ＷＬＡＮ２０２ａ、２０２ｂは、例えば、通信事業者が公衆向けに提供するＷＬＡＮ、装置１００のユーザーが勤務する会社が自社の敷地内で社員向けに提供するＷＬＡＮ、或いは装置１００のユーザーの自宅に設置されたＷＬＡＮであってよい。代案として、ＷＬＡＮ２０２ａ、２０２ｂの一方又は両方は他の無線若しくは有線ネットワークにより置き換えられてもよい。
【００１９】
装置１００は、ＷＬＡＮ２０２ａに接続し、プロキシ２０３及びインターネット２０１を介してウェブサイト２０４ａにアクセスする。装置１００がＷＬＡＮ２０２ａに接続すると、装置１００にはネットワーク情報２０５ａが割り当てられ、装置１００のメモリー１１１に保存される。
【００２０】
ネットワーク情報２０５ａは、ＩＰ（Internet  Protocol）アドレス、サブネット・マスク、及びデフォルト・ゲートウェイのアドレス等を含む。例えば、ＩＰアドレスはＷＬＡＮ２０２ａのＤＨＣＰ（Dynamic  Host  Configuration  Protocol）サーバーにより装置１００に動的に割り当てられてよい。或いは、ネットワーク情報２０５ａはユーザーにより装置１００に設定されてもよい。
【００２１】
ユーザーは、ブラウザ設定情報２０６ａ、つまりプロキシを使用するか使用しないかというプロキシの設定、及びブラウザのセキュリティ・レベルを設定する。或いは、ブラウザ設定情報２０６ａは、ブラウザにより予め設定されてもよい。
【００２２】
装置１００のユーザーは、例えばブラウザのメニューを用いて、ウェブサイト２０４ａのアドレスをブックマークとして登録してよい。ウェブサイト２０４ａがブックマークに登録されると、ネットワーク情報２０５ａ及びブラウザ設定情報２０６ａは、装置１００のメモリー１１１に保存される。
【００２３】
ブックマークの代わりに、ブラウザのアドレスバーのリストボックス等に表示されるＵＲＬを用いることも可能である。ユーザーがウェブサイト２０４ａにアクセスすると、ウェブサイト２０４ａのＵＲＬがメモリー１１１に記録され、アドレスバー又はリストボックス等に表示される。この場合には、ウェブサイト２０４ａのＵＲＬがメモリー１１１に記録されると、ネットワーク情報２０５ａ及びブラウザ設定情報２０６ａも装置１００のメモリー１１１に保存される。
【００２４】
ユーザーは装置１００と共にＷＬＡＮ２０２ａのサービス・エリアからＷＬＡＮ２０２ｂのサービス・エリアへ移動してよい。ＷＬＡＮ２０２ｂと接続した装置１００にはネットワーク情報２０５ｂが割り当てられる。ネットワーク情報２０５ｂは、装置１００のメモリー１１１に保存される。
【００２５】
ネットワーク情報２０５ｂは、ＩＰアドレス、サブネット・マスク、及びデフォルト・ゲートウェイのアドレス等を含む。例えば、ＩＰアドレスはＷＬＡＮ２０２ｂのＤＨＣＰサーバーにより装置１００に動的に割り当てられてよい。或いは、ネットワーク情報２０５ｂはユーザーにより装置１００に設定されてもよい。ユーザーは装置１００を用い、ＷＬＡＮ２０２ｂ及びインターネット２０１を介し、登録されたブックマーク、リストボックス等を用いて再びウェブサイト２０４ａにアクセスする。
【００２６】
また、装置１００がＷＬＡＮ２０２ｂを介してウェブサイト２０４ａに再びアクセスする前に、ブラウザ設定情報２０６ａは、ユーザー又はブラウザによりブラウザ設定情報２０６ｂに変更されうる。
【００２７】
このように、ブックマークを登録したとき又はリストボックス等にＵＲＬが登録されたとき、つまりウェブサイト２０４ａへのアクセスが成功したときと、ブックマーク又はリストボックス等を用いて再びウェブサイト２０４ａへアクセスしようとするときとで、ネットワーク情報２０５ａと２０５ｂ、ブラウザ設定情報２０６ａと２０６ｂとが異なる場合がある。このような相違は、装置１００が接続するアクセス・ネットワークが変更されることにより生じうる。或いは、アクセス・ネットワークが変更されたか否かに関わらず、ユーザー又はブラウザがネットワーク情報２０５、ブラウザ設定情報２０６を変更することにより生じうる。
【００２８】
図３は、一実施形態に係る装置１００の説明図である。装置３００は、例えば図１に示されたような装置１００であってよい。装置１００は、ネットワーク情報収集部３０１、ブラウザ設定情報収集部３０２、データ保存部３０３、判定部３０４、及び表示部３０５を有する。
【００２９】
図３のネットワーク情報収集部３０１、ブラウザ設定情報収集部３０２、判定部３０４は、図１のＡ−ＣＰＵ１０５に含まれる。図３のデータ保存部３０３は、図１のメモリー１１１に含まれる。また、図３の表示部３０５は、図１のＬＣＤに対応する。
【００３０】
ネットワーク情報収集部３０１は、ネットワーク情報２０５ａ、２０５ｂをメモリー１１１から収集する。ネットワーク情報収集部３０１は、ウェブサイト２０４ａへのアクセスが成功したときに、ネットワーク情報２０５ａを収集してよい。次に、ネットワーク情報収集部３０１は、ネットワーク情報２０５ａを、ウェブサイト２０４ａのＵＲＬのような識別子と関連付けてデータ保存部３０３に保存する。
【００３１】
代案として、ネットワーク情報収集部３０１は、ウェブサイト２０４ａがブックマークとしてブラウザに登録されたときに、リストボックス等にＵＲＬが登録されたときに、又はウェブサイト２０４ａへのアクセスが成功する度に、ネットワーク情報２０５ａを収集し、データ保存部３０３に保存してもよい。
【００３２】
ネットワーク情報収集部３０１は、装置１００がＷＬＡＮ２０２ｂと接続しているときに、ネットワーク情報２０５ｂを収集してよい。このとき、装置１００は、まだＷＬＡＮ２０２ｂを介してウェブサイト２０４ａにアクセスしていない。次に、ネットワーク情報収集部３０１は、ネットワーク情報２０５ｂを判定部３０４へ送信する。
【００３３】
ネットワーク情報収集部３０１は装置１００がＷＬＡＮ２０２ｂに接続する度に、ネットワーク情報２０５ｂを収集し、判定部３０４へ送信してよい。或いは、ネットワーク情報収集部３０１は、ブラウザが起動される度に、又はブックマークが表示される度に、リストボックス等が表示される度に、ネットワーク情報２０５ｂを収集し、判定部３０４へ送信してよい。
【００３４】
ブラウザ設定情報収集部３０２は、ブラウザ設定情報２０６ａ、２０６ｂをメモリー１１１から収集する。ブラウザ設定情報収集部３０２は、ウェブサイト２０４ａへのアクセスが成功したときに、ブラウザ設定情報２０６ａを収集してよい。次に、ブラウザ設定情報収集部３０２は、ブラウザ設定情報２０６ａを、ウェブサイト２０４ａのＵＲＬのような識別子と関連付けてデータ保存部３０３に保存する。
【００３５】
代案として、ブラウザ設定情報収集部３０２は、ウェブサイト２０４ａのアドレスがブックマークとしてブラウザに登録されたときに、リストボックス等にＵＲＬが登録されたときに、又はウェブサイト２０４ａへのアクセスが成功する度に、ブラウザ設定情報２０６ａを収集しデータ保存部３０３に保存してもよい。
【００３６】
ブラウザ設定情報収集部３０２は、装置１００がＷＬＡＮ２０２ｂと接続しているときに、ブラウザ設定情報２０６ｂを収集してよい。このとき、装置１００は、まだＷＬＡＮ２０２ｂを介してウェブサイト２０４ａにアクセスしていない。次に、ブラウザ設定情報収集部３０２は、ブラウザ設定情報２０６ｂを判定部３０４へ送信する。
【００３７】
ブラウザ設定情報収集部３０２は、装置１００がＷＬＡＮ２０２ｂに接続する度に、ブラウザ設定情報２０６ｂを収集し、判定部３０４へ送信してよい。或いは、ブラウザ設定情報収集部３０２は、ユーザーが装置１００でブラウザを起動する度に、又はブックマーク若しくはリストボックス等を表示する度に、ブラウザ設定情報２０６ｂを収集し、判定部３０４へ送信してよい。
【００３８】
図４は、図３に示されるデータ保存部３０３に保存されるデータ項目の例である。ウェブサイト名はウェブサイト２０４ａ、２０４ｂ等の名称である。ＵＲＬは、ウェブサイト２０４ａ、２０４ｂ等のＵＲＬであり、ブックマークとして又はリストボックス等に登録されている。ウェブサイト名及びＵＲＬは、ブラウザ設定情報収集部３０２により、ブラウザが生成及び管理するブックマーク・ファイルから収集され、データ保存部３０３に保存される。
【００３９】
日時は、ウェブサイト２０４ａへのアクセスが成功した日時である。最終アクセス日時は、装置１００がブックマークとして登録されたウェブサイト、例えばウェブサイト２０４ａに最後にアクセスした日時である。日時及び最終アクセス日時は、装置１００のシステム時間に基づく。
【００４０】
ＩＰアドレスは、ウェブサイト２０４ａへのアクセスが成功したときに装置１００に設定されていたＩＰアドレスである。サブネット・マスクは、ウェブサイト２０４ａへのアクセスが成功したときに装置１００に設定されていたサブネット・マスクである。ＩＰアドレス及びサブネット・マスクは、ネットワーク情報収集部３０１により、メモリー１１１から収集され、データ保存部３０３に保存される。
【００４１】
プロキシ設定は、ウェブサイト２０４ａへのアクセスが成功したときに装置１００に設定されていたプロキシの設定である。プロキシの設定は、プロキシを使用するか否かの設定、プロキシを自動的に検出するか否か、プロトコル毎のサーバーのアドレス及びポート番号、並びに例外的にアクセスを許可するＵＲＬに関する情報を含む。
【００４２】
セキュリティ設定は、ブラウザに設定されたセキュリティに関する設定である。セキュリティ設定は、ＨＴＴＰ１．１を使用するか否か、プロキシと接続する際にＨＴＴＰ１．１を使用するか否か、ＳＳＬ２．０／ＳＳＬ３．０／ＴＳＬ１．０をそれぞれ使用するか否か、を含む。
【００４３】
プロキシ設定及びセキュリティ設定は、ブラウザ設定情報収集部３０２により、ブラウザが生成及び管理するファイルから収集され、データ保存部３０３に保存される。セキュリティ設定は、例えばＷｉｎｄｏｗｓ（登録商標）ＸＰでは、インターネット設定の「詳細」タブに設定されている。
【００４４】
アクセス可否は、ブックマークに登録されているウェブサイト２０４ａへのアクセスが可能か否かを表す。アクセス可否は、後述するように判定部３０４から受信される。
【００４５】
図４に示されたデータ項目は、ウェブサイト２０４ａへのアクセスが成功したときのネットワーク情報２０５ａ及びブラウザ設定情報２０６ａに対応する。データ保存部３０３は、ＷＬＡＮ２０２ｂに接続した後、ウェブサイト２０４ａにアクセスする前に収集されたネットワーク情報２０５ｂ及びブラウザ設定情報２０６ｂについて、図４と同様のデータ項目を更に有してよい。
【００４６】
更に代案として、データ保存部３０３に保存された、ウェブサイト２０４ａへのアクセスが成功したときに収集された各データ項目は、ＷＬＡＮ２０２ｂに接続した後、ウェブサイト２０４ａにアクセスする前に収集されたネットワーク情報２０５ｂ及びブラウザ設定情報２０６ｂにより更新されてもよい。更に、データ保存部３０３は、データ項目毎に、当該データ項目が更新されたか否かを示す更新の有無を保存してもよい。
【００４７】
代案として又は追加で、データ保存部３０３は、データ項目毎に、ネットワーク情報２０５ａと２０５ｂとの間、ブラウザ設定情報２０６ａと２０６ｂとの間に相違があるか否かを示す相違の有無を保存してもよい。
【００４８】
図４を参照してブックマークを用いる例を説明したが、リストボックス等を用いることも可能である。リストボックス等を用いる場合には、ブックマーク・ファイルの代わりに、図４と同様のデータ項目を有するリストボックス用のファイルを用いればよい。
【００４９】
再び図３を参照する。判定部３０４は、ウェブサイト２０４ａへのアクセスが成功したときにネットワーク情報収集部３０１により収集され、データ保存部３０３に保存されたネットワーク情報２０５ａを、データ保存部３０３から受信する。また、判定部３０４は、ＷＬＡＮ２０２ｂに接続した後、ウェブサイト２０４ａへのアクセスが行われる前にネットワーク情報収集部３０１により収集されたネットワーク情報２０５ｂをネットワーク情報収集部３０１から受信する。
【００５０】
判定部３０４は、例えば図４に示されたデータ項目について、２つのネットワーク情報２０５ａと２０５ｂを比較し、差分を抽出する。次に、判定部３０４は抽出した差分をデータ保存部３０３へ送信する。例えば、ネットワーク情報２０５ａのＩＰアドレスとネットワーク情報２０５ｂのＩＰアドレスが異なる場合、ネットワーク情報２０５ｂのＩＰアドレスがデータ保存部３０３へ送信されてよい。代案として、判定部３０４は、データ保存部３０３に保存されたＩＰアドレスと関連付けられた更新の有無又は相違の有無を更新してもよい。
【００５１】
判定部３０４は、ウェブサイト２０４ａへのアクセスが成功したときにブラウザ設定情報収集部３０２により収集され、データ保存部３０３に保存されたブラウザ設定情報２０６ａを、データ保存部３０３から受信する。また、判定部３０４は、ＷＬＡＮ２０２ｂに接続した後、ウェブサイト２０４ａへのアクセスが行われる前にブラウザ設定情報収集部３０２により収集されたブラウザ設定情報２０６ｂをブラウザ設定情報収集部３０２から受信する。
【００５２】
判定部３０４は、例えば図４に示されたデータ項目について、２つのブラウザ設定情報２０６ａと２０６ｂを比較し、差分を抽出する。次に、判定部３０４は抽出した差分をデータ保存部３０３へ送信する。例えば、ブラウザ設定情報２０６ａのプロキシ設定とブラウザ設定情報２０６ｂのプロキシ設定が異なる場合、ブラウザ設定情報２０６ｂのプロキシ設定がデータ保存部３０３へ送信されてよい。
【００５３】
判定部３０４は、ネットワーク情報２０５ａと２０５ｂ、ブラウザ設定情報２０６ａと２０６ｂの間の差分に基づき、装置１００がウェブサイト２０４ａへのアクセスを試みる前に、ウェブサイト２０４へのアクセスが可能か否かを判定する。
【００５４】
図５を参照し、判定部３０４がブックマーク、リストボックス等に登録されたＵＲＬへのアクセス可否を判定する例を説明する。
【００５５】
図５の表の行番号１で示される行は、ネットワーク情報２０５ａに含まれるＩＰアドレスとネットワーク情報２０５ｂに含まれるＩＰアドレスとが同一である場合を示す。更に、行番号１の行では、ブラウザ設定情報２０６ａに含まれるプロキシ設定及びセキュリティ設定とブラウザ設定情報２０６ｂに含まれるプロキシ設定及びセキュリティ設定も同一である。この場合には、判定部３０４は、比較の結果、ウェブサイトへのアクセスが可能であると判定する。この判定結果は、行番号１のアクセス可否判定の欄に「○」として示される。
【００５６】
行番号２の行は、判定部３０４による比較の結果、ＩＰアドレス、サブネット・マスク、プロキシ設定は同一だが、セキュリティ設定に相違があった場合を示す。この場合には、判定部３０４は、ウェブサイトへのアクセスが不可能の可能性がある、又は可能か不可能かが不明であると判定する。この判定結果は、行番号２のアクセス可否判定の欄に「△」として示される。
【００５７】
行番号３の行は、ＩＰアドレスに相違があり、サブネット・マスク、プロキシ設定、セキュリティ設定が同一である場合を示す。この場合には、判定部３０４は、ウェブサイトへのアクセスが可能であると判定する。この判定結果は、行番号３のアクセス可否判定の欄に「○」として示される。
【００５８】
行番号４の行は、ＩＰアドレス、セキュリティ設定に相違があり、サブネット・マスク、プロキシ設定が同一である場合を示す。この場合には、判定部３０４は、ウェブサイトへのアクセスが不可能の可能性がある、又は可能か不可能かが不明であると判定する。この判定結果は、行番号４のアクセス可否判定の欄に「△」として示される。
【００５９】
行番号５の行は、ＩＰアドレスに相違があり、サブネット・マスク、プロキシ設定が同一である場合を示す。この場合には、判定部３０４は、ウェブサイトへのアクセスが不可能の可能性がある、又は可能か不可能かが不明であると判定する。この判定結果は、行番号５のアクセス可否判定の欄に「△」として示される。
【００６０】
行番号６及び７の行は、プロキシ設定のうち例外ＵＲＬに基づきアクセス可否を判定する場合を示す。例外ＵＲＬは、例外的にプロキシを経由させないＵＲＬである。
【００６１】
行番号６の行では、ブックマークに登録されたウェブサイトのＵＲＬが、例外ＵＲＬとして保存されているＵＲＬと一致する。この場合、判定部３０４は、ウェブサイトへのアクセスが可能であると判定する。この判定結果は、行番号６のアクセス可否判定の欄に「○」として示される。
【００６２】
行番号７の行では、ブックマークに登録されたウェブサイトのＵＲＬが、例外ＵＲＬとして保存されているＵＲＬと一致しない。この場合、判定部３０４は、ウェブサイトへのアクセスが不可能であると判定する。この判定結果は、行番号７のアクセス可否判定の欄に「×」として示される。
【００６３】
行番号８の行では、ウェブサイトへのアクセスが成功したときに収集された情報では、プロキシが設定されていなかったが、次にウェブサイトへアクセスする前に収集された譲歩では、プロキシが設定されている場合を示す。この場合、判定部３０４は、ウェブサイトへのアクセスが不可能であると判定する。この判定結果は、行番号８のアクセス可否判定の欄に「×」として示される。
【００６４】
図５には、図４に示されたデータ項目の一部に基づきアクセス可否が判定される実施形態が示された。しかしながら、他の如何なる組み合わせのデータ項目がアクセス可否の判定に用いられてもよい。また、図５では、アクセス可否の判定は可（○）、不可（×）、不明若しくは不可の可能性あり（△）の３種類で表現されたが、３種類より多くの又は少ない種類の表現が用いられてもよい。
【００６５】
図６は、一実施形態に係る、ウェブサイト２０４ａへのアクセスが成功したときに情報を収集する処理６００のフロー図である。装置１００のＡ−ＣＰＵ１０５は、ブックマーク又はリストボックス等に登録されたウェブサイト２０４ａへのアクセスが成功する度に、段階６０１で処理６００を開始する。或いは、ウェブサイト２０４ａがブラウザのブックマーク又はリストボックス等に登録されると、Ａ−ＣＰＵ１０５は、段階６０１で処理６００を開始してもよい。
【００６６】
段階６０２で、ネットワーク情報収集部３０１は、メモリー１１１などに格納された、装置１００に設定されたネットワーク情報２０５ａを収集する。更に段階６０２で、ネットワーク情報収集部３０１は、収集したネットワーク情報２０５ａをウェブサイト２０４ａへのアクセスが成功したときのネットワーク情報２０５ａとしてデータ保存部３０３に格納する。ネットワーク情報２０５ａに含まれる詳細なデータ項目は、図４を参照して上述された通りである。
【００６７】
段階６０３で、ブラウザ設定情報収集部３０２は、例えばブラウザにより生成及び管理されメモリー１１１に格納されたファイルから、装置１００に設定されたブラウザ設定情報２０６ａを収集する。更に段階６０３で、ブラウザ設定情報収集部３０２は、収集したブラウザ設定情報２０６ａをウェブサイト２０４ａへのアクセスが成功したときのブラウザ設定情報２０６ａとしてデータ保存部３０３に格納する。ブラウザ設定情報２０６ａに含まれる詳細なデータ項目は、図４を参照して上述された通りである。
【００６８】
段階６０４で、データ保存部３０３は、段階６０２及び段階６０３においてネットワーク情報２０５ａがデータ保存部３０３に格納された日時を、図４に示された日時としてデータ保存部３０３に格納する。
【００６９】
段階６０５で、Ａ−ＣＰＵ１０５は処理６００を終了する。
【００７０】
図７は、一実施形態に係るブックマーク又はリストボックス等を表示する処理７００のフロー図である。装置１００のＡ−ＣＰＵ１０５は、ＷＬＡＮに接続する度に、ブラウザが起動される度に、又はブックマーク若しくはリストボックス等を表示する度に、段階７０１で処理７００を開始する。
【００７１】
段階７０２で、判定部３０４は、ネットワーク情報収集部３０１を介して、装置１００に設定されたＩＰアドレスを、メモリー１１１から取得する。
【００７２】
段階７０３で、判定部３０４は、装置１００がネットワーク、例えばＷＬＡＮ２０２ａ若しくは２０２ｂに接続しているか否か、及び段階７０２で取得したＩＰアドレスがルーターを経由しない範囲での通信に使用されるリンクローカル・アドレスか否かを決定する。装置１００がネットワークに接続していない場合、及び取得したＩＰアドレスがリンクローカル・アドレスである場合、処理は７０３へ進む。装置１００がネットワークに接続している場合、処理は７０４へ進む。
【００７３】
段階７０４で、判定部３０４は、ブックマーク又はリストボックス等に登録されている全てのウェブサイトのＵＲＬについて、アクセスは不可能であると判定する。判定部３０４は、この判定の結果をデータ保存部３０３及び表示部３０５へ送信する。更に、表示部３０５は、判定部３０４から受信した判定の結果、及びデータ保存部３０３から読み出した図４に示されるデータ項目又は同様のデータ項目に基づき、ブックマーク又はリストボックス等とアクセスの可否を関連付けて表示する。表示の例は図９、１０、１１を参照して後述される。
【００７４】
段階７０５で、ネットワーク情報収集部３０１は、ＷＬＡＮ２０２ｂに接続された後、ウェブサイト２０４ａにアクセスする前に装置１００に設定されたネットワーク情報２０５ｂを、メモリー１１１から取得する。ネットワーク情報収集部３０１は、ネットワーク情報２０５ｂを判定部３０４へ送信する。
【００７５】
段階７０６で、ブラウザ設定情報収集部３０２は、ＷＬＡＮ２０２ｂに接続された後、ウェブサイト２０４ａにアクセスする前に装置１００に設定されたブラウザ設定情報２０６ｂを、メモリー１１１に格納されたブラウザが生成及び管理するファイルから取得する。ブラウザ設定情報収集部３０２は、ブラウザ設定情報２０６ｂを判定部３０４へ送信する。
【００７６】
段階７０７で、判定部３０４は、１つのブックマーク、リストボックス等に登録されたＵＲＬについて、段階６０２及び段階６０３で保存されたネットワーク情報２０５ａ及びブラウザ設定情報２０６ａをデータ保存部３０３から読み出す。
【００７７】
段階７０８で、判定部３０４は、段階７０７で読み出したネットワーク情報２０５ａ及びブラウザ設定情報２０６ａを、段階７０５及び７０６で収集したネットワーク情報２０５ｂ及びブラウザ設定情報２０６ｂと比較し、差分を抽出する。
【００７８】
段階７０９で、判定部３０４は、段階７０８で抽出された差分に基づき、段階７０７で選択されたブックマーク、リストボックス等に登録されたウェブサイトへのアクセスが可能か否かを判定する。判定は、例えば図５を参照して上述したように行われる。
【００７９】
段階７１０で、判定部３０４は、段階７０９の判定の結果及び抽出した差分をデータ保存部３０３に保存する。
【００８０】
段階７１１で、判定部３０４は、全てのブックマーク、リストボックス等に登録されたＵＲＬについて、段階７０７から段階７１０が行われたか否かを決定する。全てのブックマーク、リストボックス等に登録されたＵＲＬについて段階７０７から段階７１０が既に行われている場合には、処理は段階７１２へ進む。その他の場合には、処理は段階７０７へ戻り、別のブックマーク又はリストボックス等に登録されたＵＲＬについて段階７０７から段階７１０を実行する。
【００８１】
段階７１２で、判定部３０４は、各ブックマーク、リストボックス等に登録されたＵＲＬについて段階７１０で判定した結果を表示部３０５へ送信する。表示部３０５は、判定部３０４から受信した判定の結果とデータ保存部３０３から読み出した図４に示されるデータ項目に基づき、ブックマーク、リストボックス等とアクセスの可否を関連付けて表示する。表示の例は図９、１０を参照して後述される。
【００８２】
段階７１３で、Ａ−ＣＰＵ１０５は、処理７００を終了する。
【００８３】
図８は、一実施形態に係るブックマーク、リストボックス等に登録されたＵＲＬへ接続する処理８００のフロー図である。装置１００のＡ−ＣＰＵ１０５は、段階８０１で処理８００を開始する。
【００８４】
段階８０２で、表示部３０５は、判定部３０４から受信した判定の結果とデータ保存部３０３から読み出した図４に示されるデータ項目に基づき、ブックマーク、リストボックス等とアクセスの可否を関連付けて表示する。
【００８５】
段階８０３で、ユーザーによりブックマーク、リストボックス等に登録されたウェブサイトのＵＲＬが選択されると、装置１００は選択されたウェブサイトへのアクセスを試みる。
【００８６】
段階８０４で、アクセスが成功したか否かが決定される。アクセスが成功した場合には、処理は段階８０５へ進む。アクセスが失敗した場合には、Ａ−ＣＰＵ１０５は、段階８０６へ進み処理８００を終了する。
【００８７】
段階８０５で、アクセスした日時が装置１００のシステム時間に基づき決定され、最終アクセス日時としてデータ保存部３０３に保存される。
【００８８】
段階８０６で、Ａ−ＣＰＵ１０５は、処理８００を終了する。
【００８９】
図９は、一実施形態に係るブックマークへのアクセス可否の表示例９００である。図９は、表示部３０５によりＵＲＬと当該ＵＲＬへのアクセスの可否を表示した例である。１つのＵＲＬは１つのブックマークに対応し、それぞれ段階７０９で判定されたアクセスの可否と共に表示される。
【００９０】
ユーザーは表示されているＵＲＬの１つを選択し、更なる情報を表示するよう要求してよい。表示部３０５は、当該要求に応じて、選択されたＵＲＬに対応するネットワーク情報、ブラウザ設定情報、及びアクセス可否等をデータ保存部３０３から読み出し表示してよい。
【００９１】
図９に示す例では、ＵＲＬの詳細情報であるプロパティには、現在のアクセス可否、及びウェブサイトへのアクセスが成功したときに収集されたセキュリティ設定、プロキシ設定及びＩＰアドレスが示される。セキュリティ設定は、図４に示したセキュリティ設定の内容に依存して、例えば高、中、低のように示されてよい。
【００９２】
プロキシ及びＩＰアドレスは、ウェブサイトへのアクセスが成功したときに収集された内容と、ネットワークに接続された後、当該ウェブサイトにアクセスする前に収集された内容が異なるので、強調表示されている。ユーザーは、強調表示された項目を調べることにより、選択したウェブサイトへアクセスできない原因を効率的に突き止め、解決することができる。
【００９３】
代案として、ＵＲＬの詳細情報として、ネットワークに接続された後、ウェブサイトにアクセスする前に収集された情報が表示されてもよい。この場合には、ウェブサイトへのアクセスが成功したときに収集された内容と異なる部分が強調表示されてよい。
【００９４】
図１０は、一実施形態に係るブックマークへのアクセス可否の別の表示例である。図１０では、アクセスが可能であると判定されたウェブサイト、アクセスが不可能であると判定されたウェブサイト、及びアクセスが可能か否かが不明であると判定されたウェブサイトをタブに分けて表示する。
【００９５】
図９と同様に、ユーザーは、それぞれのタブに表示されているＵＲＬの１つを選択し、更なる情報を表示するよう要求してよい。表示部３０５は、当該要求に応じて、選択されたＵＲＬに対応するネットワーク情報、ブラウザ設定情報、及びアクセス可否等をデータ保存部３０３から読み出し表示してよい。内容が変更されているデータ項目は強調表示され、ユーザーが問題を解決するためのヒントを提供する。或いは、変更されているデータ項目のみが表示されてもよい。
【００９６】
図１１は、一実施形態に係るリストボックス等に登録されたＵＲＬへのアクセス可否の表示例である。図１１では、アドレスバーのプルダウンリストによりリストボックスが表示されると、各ＵＲＬは、アクセス可否を示す「○」、「×」等の記号と共に一覧表示される。「○」、「×」等の記号の代わりに、「可」、「不可」、又はそれらに対応する絵柄が表示されてもよい。
【００９７】
上述の実施形態では、装置１００が接続するＷＬＡＮを２０２ａから２０２ｂへ変更する前後にウェブサイト２０４ａにアクセスする場合を示した。別の実施形態では、装置１００が同じＷＬＡＮのサービス・エリア内にいる間に、当該ＷＬＡＮに接続する度に、当該ＷＬＡＮに接続している間に定期的に、ブラウザが起動される度に、又はブックマークが表示される度に上述の方法が実施されてもよい。
【００９８】
上述の実施形態では、装置１００がＷＬＡＮ２０２ａからプロキシ２０３及びインターネット２０１を介してウェブサイト２０４ａにアクセスする例を示した。別の実施形態では、装置１００は、ウェブサイト２０４ａの代わりに、ＷＬＡＮ２０２ａに収容されたウェブサイト２０４ｂに、プロキシを介さずにアクセスしてもよい。
【００９９】
上述の実施形態では、装置１００が携帯型装置である場合を示した。別の実施形態では、装置１００は、固定されたデスクトップ型パーソナル・コンピューターであってもよい。
【０１００】
以上の実施形態に関し、更に以下の付記を開示する。
（付記１）
ネットワークに接続可能な装置であって、
アクセスに成功したウェブサイトに関する第１の設定情報と、前記ウェブサイトの識別子と関連付けて保存する保存部、及び
前記ネットワークに接続中で前記ウェブサイトへアクセスする前に前記装置に設定された第２の設定情報と、前記第１の設定情報とを比較し、前記ウェブサイトへのアクセスが可能か否かを判定する判定部、を有する装置。
（付記２）
前記装置は、前記判定の結果を前記ウェブサイトの識別子と共に表示する表示部、を更に有する付記１記載の装置。
（付記３）
前記表示部は、前記第１及び第２の設定情報が異なる場合に、前記第１の設定情報のうち前記第２の設定情報と異なる項目を表示する、付記２記載の装置。（請求項３、図９）
（付記４）
前記第１のネットワークは、前記第２のネットワークと異なるネットワークである、付記１乃至３の何れか一項記載の装置。
（付記５）
ネットワークに接続可能な装置で用いられる方法であって、
アクセスに成功したウェブサイトに関する第１の設定情報と、前記ウェブサイトの識別子と関連付けて保存する段階、及び
前記ネットワークに接続中で前記ウェブサイトへアクセスする前に前記装置に設定された第２の設定情報と、前記第１の設定情報とを比較し、前記ウェブサイトへのアクセスが可能か否かを判定する段階、を有する方法。
（付記６）
プログラムであって、ネットワークに接続可能な装置のプロセッサーにより実行されると、
アクセスに成功したウェブサイトに関する第１の設定情報と、前記ウェブサイトの識別子と関連付けて保存する段階、及び
前記ネットワークに接続中で前記ウェブサイトへアクセスする前に前記装置に設定された第２の設定情報と、前記第１の設定情報とを比較し、前記ウェブサイトへのアクセスが可能か否かを判定する段階、を実行するプログラム。
【符号の説明】
【０１０１】
１００  装置
１０１  アンテナ
１０２  ＲＦ  ＩＣ
１０３  通信用ＣＰＵ（Ｃ−ＣＰＵ）
１０４  Ｃ−ＣＰＵ用電源部
１０５  アプリケーション用ＣＰＵ（Ａ−ＣＰＵ）
１０６  Ａ−ＣＰＵ用電源部
１０７  表示装置
１０８  カメラ
１０９  ＷＬＡＮ／Ｂｌｕｅｔｏｏｔｈ通信部
１１０  ＩＲ通信部
１１１  メモリー
１１２  ＬＥＤ
１１３  オーディオ入出力部
１１４  入力装置
１１５  バイブレーター
２０１  インターネット
２０２ａ、２０２ｂ  ＷＬＡＮ
２０３  プロキシ
２０４ａ、２０４ｂ  ウェブサイト
２０５ａ、２０５ｂ  ネットワーク情報
２０６ａ、２０６ｂ  ブラウザ設定情報
３０１  ネットワーク情報収集部
３０２  ブラウザ設定情報収集部
３０３  データ保存部
３０４  判定部
３０５  表示部
【図１】
2010198326.tif 000003
【図２】
2010198326.tif 000004
【図３】
2010198326.tif 000005
【図４】
2010198326.tif 000006
【図５】
2010198326.tif 000007
【図６】
2010198326.tif 000008
【図７】
2010198326.tif 000009
【図８】
2010198326.tif 000010
【図９】
2010198326.tif 000011
【図１０】
2010198326.tif 000012
【図１１】
2010198326.tif 000013